(57)【要約】【課題】原稿の手離れ良く複合機能ジョブを実行可能な画像形成装置を得る。【解決手段】枚数取得部７２ａは、複合機能ジョブのうち原稿読み取り機能により読み取った原稿の枚数Ｎを取得する。判定部７５は、枚数取得部７２ａで取得した原稿の枚数Ｎが前記閾値以上か否かを判定する。ジョブ処理モード制御部７７は、判定部７５によって原稿読み取り機能により読み取った原稿の枚数Ｎが閾値以上と判定されたとき、ジョブ処理モードを逐次処理モードにする制御を行う。つまり、例えば、原稿読み取り速度が所定の下限速度以下となることが想定される原稿の枚数Ｎが閾値以上の複合機能ジョブでは、その処理モードを逐次処理モードにする制御を実行することとした。【選択図】  図３
2011071856.tif 000002
【特許請求の範囲】
【請求項１】
複数の機能が並行処理される並行処理モード又は複数の機能が逐次処理される逐次処理モードのうちいずれかのジョブ処理モードをもって、原稿読み取り機能を主機能とし、前記原稿読み取り機能により読み取った原稿に対する処理に関する機能を副機能とした前記主副機能の組合せに係る複合機能ジョブを実行可能な画像形成装置であって、
前記原稿読み取り機能により読み取った原稿の枚数に係る閾値を記憶する閾値記憶部と、
前記複合機能ジョブのうち前記原稿読み取り機能により読み取った原稿の枚数を取得する枚数取得部と、
前記枚数取得部で取得した原稿の枚数が前記閾値以上か否かを判定する判定部と、
前記判定部によって前記原稿読み取り機能により読み取った原稿の枚数が前記閾値以上と判定されたとき、前記ジョブ処理モードを前記逐次処理モードにする制御を行うジョブ処理モード制御部と、
を備えたことを特徴とする画像形成装置。
【請求項２】
請求項１記載の画像形成装置であって、
前記副機能は、前記原稿読み取り機能により読み取った原稿に対するデータ蓄積、データ通信、印刷又はファクシミリ通信のうち一の処理又は複数の組み合わせに係る処理を含む、
ことを特徴とする画像形成装置。
【請求項３】
請求項１又は２に記載の画像形成装置であって、
前記原稿読み取り機能により読み取る枚数を操作入力する際に用いられる操作入力部を備え、
前記枚数取得部は、前記操作入力部を介して読み取った原稿の枚数を取得する、
ことを特徴とする画像形成装置。
【請求項４】
請求項１又は２に記載の画像形成装置であって、
前記原稿読み取り機能により読み取る枚数をカウントする枚数カウント部を備え、
前記枚数取得部は、前記枚数カウント部を介して読み取った原稿の枚数を取得する、
ことを特徴とする画像形成装置。
【請求項５】
請求項１〜４のうちいずれか一項に記載の画像形成装置であって、
前記ジョブ処理モード制御部は、前記副機能が送信系の機能であり、かつ前記判定部によって前記原稿読み取り機能により読み取った原稿の枚数が前記閾値以上と判定されたとき、前記ジョブ処理モードを前記逐次処理モードにする制御を行う、
ことを特徴とする画像形成装置。
【請求項６】
請求項１〜５のうちいずれか一項に記載の画像形成装置であって、
前記ジョブ処理モード制御部で制御された処理モードをもって前記複合機能ジョブの実行制御を行うジョブ実行制御部を備える、
ことを特徴とする画像形成装置。
【請求項７】
複数の機能が並行処理される並行処理モード又は複数の機能が逐次処理される逐次処理モードのうちいずれかのジョブ処理モードをもって、原稿読み取り機能を主機能とし、前記原稿読み取り機能により読み取った原稿に対する処理に関する機能を副機能とした前記主副機能の組合せに係る複合機能ジョブを実行可能な画像形成装置であって、
ジョブを受付けるジョブ受付部と、
前記ジョブ受付部で受け付けたジョブが前記複合機能ジョブであるとき、当該複合機能ジョブのうち前記原稿読み取り機能により読み取った原稿の枚数を取得する枚数取得部と、
前記原稿読み取り機能により読み取った原稿の枚数に係る閾値を記憶する閾値記憶部と、
前記枚数取得部で取得した原稿の枚数が前記閾値以上か否かを判定する判定部と、
前記判定部によって前記原稿読み取り機能により読み取った原稿の枚数が前記閾値以上と判定されたとき、前記ジョブ処理モードを前記逐次処理モードにする制御を行うジョブ処理モード制御部と、
前記ジョブ処理モード制御部で制御された処理モードをもって前記複合機能ジョブの実行制御を行うジョブ実行制御部と、
を備えたことを特徴とする画像形成装置。
【請求項８】
請求項７記載の画像形成装置であって、
前記副機能は、前記原稿読み取り機能により読み取った原稿に対するデータ蓄積、データ通信、印刷又はファクシミリ通信のうち一の処理又は複数の組み合わせに係る処理を含む、
ことを特徴とする画像形成装置。
【発明の詳細な説明】
【技術分野】
【０００１】
本発明は、複合機能ジョブを実行可能な画像形成装置に関する。
【背景技術】
【０００２】
従来、コピー、スキャナ、ファクシミリ通信、又はデータ通信などの複合機能を有する、ＭＦＰ（Multi Function Peripheral）とも呼ばれる画像形成装置が提供されている。
【０００３】
かかるＭＦＰにおいて、例えば、スキャナ機能とデータ送信機能を融合させて、手元原稿をスキャナ機能によって読み取り、これを所定形式の画像データファイルに変換し、この変換後のデータファイルを所定の宛先に送信する等といった、複合機能ジョブの処理に関する技術が提案されている（例えば、特許文献１参照）。
【０００４】
上述した複合機能ジョブの処理は、その途中段階での機能の種別に着目すると、読み取り機能、データ形式変換機能、及び送信機能の各処理を実行することによって実現される。かかる複合機能ジョブの処理は、一般に、複数の機能が並行処理される並行処理モードで行われる。この並行処理モードでは、各種機能の実行制御を司るＣＰＵ(Central Processing Unit)が有する情報処理資源をフルに活用して、複合機能ジョブの開始から終了までの所要時間を可及的に短縮可能であることに基づく。
【０００５】
しかしながら、ＣＰＵ情報処理資源に比べて処理すべき負荷の方が大きい場合に、上記のような複合機能ジョブを並行処理モードで実行すると、読み取り機能に関するＣＰＵ情報処理資源の割り当てが相対的に少なくなる。すると、原稿の読み取り処理速度が本来の速度に比べて遅くなり、かかる読み取り動作での時間遅延が律速となって、原稿の手離れが悪化するという問題があった。
【先行技術文献】
【特許文献】
【０００６】
【特許文献１】特開２００５−３１１４７５号公報
【発明の概要】
【発明が解決しようとする課題】
【０００７】
解決しようとする問題点は、例えばＣＰＵ情報処理資源に比べて処理すべき負荷の方が大きい場合に、複合機能ジョブを並行処理によって実行すると、原稿の手離れが悪化してしまう点である。
【課題を解決するための手段】
【０００８】
本発明は、原稿の手離れ良く複合機能ジョブを実行可能な画像形成装置を得ることを目的として、複数の機能が並行処理される並行処理モード又は複数の機能が逐次処理される逐次処理モードのうちいずれかのジョブ処理モードをもって、原稿読み取り機能を主機能とし、前記原稿読み取り機能により読み取った原稿に対する処理に関する機能を副機能とした前記主副機能の組合せに係る複合機能ジョブを実行可能な画像形成装置であって、前記原稿読み取り機能により読み取った原稿の枚数に係る閾値を記憶する閾値記憶部と、前記複合機能ジョブのうち前記原稿読み取り機能により読み取った原稿の枚数を取得する枚数取得部と、前記枚数取得部で取得した原稿の枚数が前記閾値以上か否かを判定する判定部と、前記判定部によって前記原稿読み取り機能により読み取った原稿の枚数が前記閾値以上と判定されたとき、前記ジョブ処理モードを前記逐次処理モードにする制御を行うジョブ処理モード制御部と、を備えたことを最も主要な特徴とする。
【発明の効果】
【０００９】
本発明に係る画像形成装置では、枚数取得部は、複合機能ジョブのうち原稿読み取り機能により読み取った原稿の枚数を取得する。判定部は、枚数取得部で取得した原稿の枚数が閾値以上か否かを判定する。そして、ジョブ処理モード制御部は、判定部によって原稿読み取り機能により読み取った原稿の枚数が閾値以上と判定されたとき、前記ジョブ処理モードを逐次処理モードにする制御を行う。
【００１０】
要するに、例えば、原稿読み取り速度が所定の下限速度以下となることが想定される原稿の枚数Ｎが閾値以上の複合機能ジョブでは、その処理モードを逐次処理モードにする制御を実行することとしたので、例えばＣＰＵの情報処理資源に比べて処理すべき負荷の方が大きい場合であっても、常に下限速度を下回らない速度をもって原稿画像の読み取りジョブを実行することができる。
【００１１】
従って、ユーザが原稿の読み取り指示操作を行ったあと全ての原稿を回収する迄に要する時間を可及的に短縮することが可能となる結果として、原稿の手離れ良く複合機能ジョブを実行可能な画像形成装置を得ることができる。
【図面の簡単な説明】
【００１２】
【図１】本発明実施例に係る複合機に接続された通信ネットワーク等の関係を示す説明図である。
【図２】同複合機が有する主副の各機能の概要を示す説明図である。
【図３】同複合機の概略構成図である。
【図４】同複合機の動作フローチャート図である。
【発明を実施するための形態】
【００１３】
原稿の手離れ良く複合機能ジョブを実行可能な画像形成装置を得るといった目的を、枚数取得部で取得した原稿の枚数が閾値以上か否かを判定する判定部と、判定部によって原稿読み取り機能により読み取った原稿の枚数が閾値以上と判定されたとき、ジョブ処理モードを逐次処理モードにする制御を行うジョブ処理モード制御部と、の連係動作によって実現した。
【実施例】
【００１４】
以下、本発明実施例に係る画像形成装置について、図面を参照して詳細に説明する。
【００１５】
なお、以下において、本発明実施例に係る画像形成装置としてデジタルカラー複合機（以下、「複合機」という。）を例示して説明を進める。
［複合機周辺の概略構成］
図１は、本発明実施例に係る複合機に接続された通信ネットワーク等の関係を示す説明図、図２は、本発明実施例に係る複合機が有する主副の各機能の概要を示す説明図、図３は、本発明実施例に係る複合機の概略構成図である。
【００１６】
図１に示すように、例えばオフィス等に設置される複合機１は、前記と同様にオフィス等に設置される複数のクライアントＰＣ３ａ，３ｂ，・・・との間を、イントラネット網５を介して接続して構成されている。また、複合機１は、イントラネット網５またはインターネット網７を介して、ＦＴＰ（File Transfer Protocol）を用いてファイルの送受信を行うためのＦＴＰサーバ９ａ、電子メールを送信するためのＳＭＴＰ（Simple Mail Transfer Protocol）サーバ９ｂなどに接続されている。これにより、複合機１は、クライアントＰＣ３ａ，３ｂ，・・・との間で所要のデータ送受信を行ったり、電子メールの送受信やファイル転送を行うことができるように構成されている。なお、ＦＴＰサーバ９ａまたはＳＭＴＰサーバ９ｂはイントラネット網５に直接接続される構成であってもよい。
【００１７】
詳しく述べると、複合機１は、図２に示すように、原稿自動搬送装置（不図示）から順次搬送されてきた原稿の画像を読み取るスキャナ、データ蓄積、データ通信、印刷、ファクシミリ通信の各種機能が利用可能である。これら各種機能のうち、スキャナ機能が本発明の「主機能」に相当し、データ蓄積、データ通信、印刷、及びファクシミリ通信の各機能が本発明の「副機能」に相当する。
【００１８】
ここで、以下の説明において、例えば、スキャナ機能及びデータ通信機能の組合せ、又は、スキャナ機能、データ蓄積機能及びデータ通信機能の組み合わせなどの、前記主副の組合わせに係る機能を「複合機能」と呼ぶ。また、前記主副の組合わせに係る機能に関するジョブを「複合機能ジョブ」と呼ぶ。
【００１９】
なお、データ通信機能は、スキャンした原稿データをＦＴＰサーバ９ａ宛に送信するＦＴＰ送信、スキャンした原稿データをクライアントＰＣ３ａ，３ｂ，・・・等の共有フォルダ宛に送信するＳＭＢ送信、スキャンした原稿データを電子メールの添付ファイルとして任意の宛先に送信する電子メール送信（以上、後述の「ＰＵＳＨ型ジョブ」に相当する）、ＴＷＡＩＮドライバによりクライアントＰＣ３ａ，３ｂ，・・・等からスキャン指示した原稿データを複合機１の内部サーバ（図示せず）に記憶させ、その原稿データを前記内部サーバから受信するデータ受信（後述の「ＰＵＬＬ型ジョブ」に相当する）などを含む。
【００２０】
上述した各種機能の動作制御を行うために、主制御部１１は、図３に示すように、スキャナ機能を実現するための動作制御を行うスキャナコントローラ１３、コピー機能を実現するための動作制御を行うコピーコントローラ１５、プリンタ機能を実現するための動作制御を行うプリンタコントローラ１７、並びに、ファクシミリ通信機能を実現するための動作制御を行うファクシミリコントローラ１９を内蔵し、本機１全体の動作を統括制御する。
【００２１】
主制御部１１に接続され諸機能を担う入出力機器として、本機１は、スキャナ部２１、画像処理部３１、エンジン部４１、操作パネル部５１、ファクシミリ通信部６１、ＨＤＤ（Hard Disk Drive）６３並びにネットワークＩ／Ｆ（インタフェース）部６５を備える。
【００２２】
スキャナ部２１は、図示しないスキャナを構成する画像照射ランプ２３及びＣＣＤ（電荷結合素子：Charge Coupled Device）センサ２５を含む。スキャナ部２１は、画像照射ランプ２３により原稿を照射し、その反射光をＣＣＤセンサ２５で受光することにより、原稿自動搬送装置から順次搬送されてきた原稿の画像を読み取り、読み取った画像に対応する画像データを画像処理部３１宛に出力する。
【００２３】
画像処理部３１は、補正部３３、画像加工部３５及び画像メモリ３７を含む。画像処理部３１は、スキャナ部２１で読み取られた画像データを必要に応じて補正部３３及び画像加工部３５によって処理し、処理された画像データを画像メモリ３７に記憶し、又はエンジン部４１、ファクシミリ通信部６１等へ出力する。
【００２４】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。
【００２５】
エンジン部４１は、スキャナ部２１で読み取られた画像データ、ネットワークＩ／Ｆ部６５並びにイントラネット網５等を介してクライアントＰＣ３から送信されてきた画像データ、ファクシミリ通信部６１を介して外部のファクシミリ装置等から受信したファクスデータ等の画像データを用いて画像を用紙に印刷する。
【００２６】
操作パネル部５１は、タッチパネル部５３及び操作キー部５５を含む。操作パネル部５１は、ユーザがスキャナ機能、ファクシミリ機能、プリンタ機能、コピー機能等に関する操作を行うために使用され、ユーザによる操作指令等を主制御部１１に与える。
【００２７】
タッチパネル部５３は、タッチパネルとカラーＬＣＤ（Liquid Crystal Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。
【００２８】
操作キー部５５は、ユーザの操作入力を受付けるための複数の操作キーを備えており、例えば、コピー機能、プリンタ機能、スキャナ機能、ファクシミリ機能など諸機能のなかから、所要機能のキー入力操作をユーザが選択的に実行する際に、又は、ユーザが複写部数やコピー実行指令などを操作入力する際に用いられる。なお、本発明で操作入力部として機能する操作キー部５５は、複合機能ジョブのうちスキャナ機能（主機能）により読み取る原稿の枚数Ｎを操作入力する際に用いられる。
【００２９】
ファクシミリ通信部６１は、符号化／復号化部（図示省略）、変復調部（図示省略）及びＮＣＵ（Network Control Unit）（図示省略）を含む。ファクシミリ通信部６１は、スキャナ部２１によって読み取られた原稿の画像データを電話回線を介してファクシミリ装置等へ送信したり、ファクシミリ装置等から送信された画像データを受信する。
【００３０】
ＨＤＤ（Hard Disk Drive）６３は、スキャナ部２１によって読み取られた画像データ及び同画像データに対する所定の形式変換処理後のデータなどを記憶する。ＨＤＤに記憶されている画像データは、必要に応じて、ネットワークＩ／Ｆ部６５を介してクライアントＰＣ３等から確認したり、クライアントＰＣ３やＦＴＰサーバ９ａ等の所定のフォルダへ転送される。
【００３１】
ネットワークＩ／Ｆ部６５は、ネットワークインタフェース（１０／１００Ｂａｓｅ−ＴＸ）等を用い、イントラネット網５を介して接続されたクライアントＰＣ３に対する種々のデータの送受信を制御する。
【００３２】
さて、ユーザが原稿の読み取り指示操作を行ったあと全ての原稿を回収する迄に要する時間を可及的に短縮して、原稿の手離れ良く複合機能ジョブを実行可能とするために、主制御部１１は、複数の機能が並行処理される並行処理モード又は複数の機能が逐次処理される逐次処理モードのうちいずれかのジョブ処理モードをもって、原稿読み取り機能を主機能とし、原稿読み取り機能により読み取った原稿に対する処理に関する機能を副機能とした主副機能の組合せに係る複合機能ジョブを実行可能に構成される一方、ジョブ受付部７１、枚数取得部７２ａ、閾値記憶部７３、判定部７５、ジョブ処理モード制御部７７及びジョブ実行制御部７９を備えて構成されている。
【００３３】
主制御部１１は、実際には、ＣＰＵ（Central Processing Unit）、ＲＯＭ（Read Only Memory）及びＲＡＭ（Random Access Memory）を有するコンピュータである。
【００３４】
ＣＰＵは、各種の制御プログラムに記述された処理を実行する演算処理装置である。ＲＯＭは、各種制御プログラム、及びスキャナ機能（主機能）により読み取った原稿の枚数Ｎに係る閾値情報等のデータを予め記憶した不揮発性のメモリである。ＲＡＭは、各種制御プログラムを実行する際にそのプログラムおよびデータを一時的に記憶保持するキャッシュメモリである。
【００３５】
主制御部１１は、各種制御プログラムを実行することによって、ジョブ受付部７１、枚数取得部７２ａ、閾値記憶部７３、判定部７５、ジョブ処理モード制御部７７及びジョブ実行制御部７９の各機能を実現する。
【００３６】
ジョブ受付部７１は、前記主副の組合わせに係る複合機能ジョブを含む、本機１で生じた各種ジョブの実行要求を受付ける機能を有する。
【００３７】
枚数取得部７２ａは、ジョブ受付部７１で受け付けたジョブが複合機能ジョブであるとき、当該複合機能ジョブのうちスキャナ機能（主機能）により読み取った原稿の枚数Ｎを取得する。
【００３８】
原稿の枚数Ｎを取得するにあたっては、操作キー部５５経由の取得態様と、枚数カウント部７２ｂ経由の取得態様とを備え、これらのうちいずれかを切り替えて適用すればよい。操作キー部５５経由の取得態様では、枚数取得部７２ａは、操作キー部５５を介してユーザによって操作入力された原稿の枚数Ｎを取得する。一方、枚数カウント部７２ｂ経由の取得態様では、スキャナ機能（主機能）により読み取った原稿の枚数Ｎをカウントする枚数カウント部７２ｂを主制御部１１に設け、枚数取得部７２ａは、この枚数カウント部７２ｂを介して読み取った原稿の枚数Ｎを取得する。なお、これら取得態様の切り替えは、操作キー部５５経由の取得がなされなかったとき、枚数カウント部７２ｂ経由の取得に切り替えるように構成してもよい。
【００３９】
閾値記憶部７３は、例えば、スキャナ機能（主機能）の原稿読み取り速度が所定の下限速度以下となるか、または同原稿読み取り速度の減少率が予め定められる上限値を越えたこと等の、ＣＰＵの情報処理資源に比べて処理すべき負荷の方が大きくなると判断する際の基準として、原稿読み取り枚数Ｎに係る閾値を記憶する。これは、原稿読み取り枚数Ｎが所定の閾値以上となるとＣＰＵの処理負荷が大きくなり読み取り処理速度が低下することに基づく。
【００４０】
この閾値としては、スキャナ機能（主機能）の原稿読み取り速度やＣＰＵの情報処理能力等を参酌して、例えば、１０〜５０枚（この枚数閾値は変更可能である）等を適宜採用すればよい。なお、前記閾値は、閾値記憶部７３に固定値又は初期値として記憶するように、例えば操作パネル部５１を介して設定可能に構成することができる。一般に、複合機１または原稿自動搬送装置の種類により各種能力が異なるので、異なる機種では異なる設定となるのが通常である。この設定は、複合機１の工場出荷時の設定であってもよいし、複合機１の設置現場でのサービスマンによる設定であってもよい。
【００４１】
判定部７５は、ジョブ受付部７１で受け付けたジョブが複合機能ジョブであるか否か及び枚数取得部７２ａで取得した原稿の枚数Ｎが閾値以上か否かを判定する。なお、判定部７５は、ジョブ受付部７１で受け付けたジョブが通信系処理を副機能として含むジョブであるとき、送信系処理のジョブ（ＰＵＳＨ型ジョブ）か受信系処理のジョブ（ＰＵＬＬ型ジョブ）かを判定した上で、原稿の枚数Ｎが閾値記憶部７３の閾値以上か否かを判定することが好ましい。
【００４２】
更に好ましくは、ＰＵＳＨ型ジョブの場合、ユーザは、原稿の読み取りをなるべく早く完了させて全ての原稿を回収したい（原稿の手離れを良くする）と望むことが多い実情に鑑みて、判定部７５は、ＰＵＳＨ型のジョブ（送信系処理）であると判定された場合にのみ、原稿の枚数Ｎが閾値以上か否かを判定する構成を採用してもよい。
【００４３】
ジョブ処理モード制御部７７は、判定部７５によって原稿の枚数Ｎが閾値以上と判定されたとき、当該複合機能ジョブのジョブ処理モードを逐次処理モードにする制御を行う。
【００４４】
ジョブ実行制御部７９は、ジョブ処理モード制御部７７で制御された処理モードをもって複合機能ジョブの実行制御を行う役割を果たす。
【００４５】
次に、本発明実施例に係る複合機（画像形成装置）の動作について、図面を参照して詳細に説明する。
【００４６】
［本発明実施例に係る複合機（画像形成装置）の動作］
図４は、本発明実施例に係る複合機（画像形成装置）の動作フローチャート図である。
【００４７】
図４に示すように、ジョブ受付部７１は、本複合機１の操作パネル部５１経由又はクライアントＰＣ経由で、何らかのジョブの実行要求が生じたか否かを常時監視している。この監視中に、例えば、操作パネル部５１で、何らかのジョブを受け付けると（ステップＳ１１）、ジョブ受付部７１は、同受け付けたジョブを判定部７５に渡す。
【００４８】
これを受けて判定部７５は、ステップＳ１１で受け付けたジョブが複合機能ジョブであるか否かに係る判定を行う（ステップＳ１２）。
【００４９】
ステップＳ１２の判定の結果、ステップＳ１１で受け付けたジョブが複合機能ジョブではないと判定されたとき（ステップＳ１２の”Ｎｏ”）、判定部７５は、その旨をジョブ処理モード制御部７７に渡して、処理の流れをステップＳ１３へと進ませる。
【００５０】
これを受けてジョブ処理モード制御部７７は、ステップＳ１１で受け付けたジョブの処理モードを並行処理モードにする制御を実行する（ステップＳ１３）。
【００５１】
一方、ステップＳ１２の判定の結果、ステップＳ１１で受け付けたジョブが複合機能ジョブであると判定されたとき、判定部７５は、さらに、ステップＳ１１で受け付けた複合機能ジョブのうち副機能はＰＵＳＨ型（送信系処理）か否かに係る判定を行う（ステップＳ１４）。
【００５２】
ステップＳ１４における判定の結果、ステップＳ１１で受け付けた複合機能ジョブのうち副機能はＰＵＳＨ型（送信系処理）ではないと判定されたとき（ステップＳ１４の”Ｎｏ”）、条件充足判定部７５は、その旨をジョブ処理モード制御部７７宛に渡して、処理の流れをステップＳ１３へと進ませる。
【００５３】
一方、ステップＳ１４における判定の結果、ステップＳ１１で受け付けた複合機能ジョブのうち副機能はＰＵＳＨ型（送信系処理）であると判定されたとき（ステップＳ１４の”Ｙｅｓ”）、枚数取得部７２ａは、同複合機能ジョブのうちスキャナ（主機能）により読み取った原稿の枚数Ｎを取得する（ステップＳ１５）。原稿の枚数Ｎを取得するにあたっては、操作キー部５５を介してユーザによって操作入力された原稿の枚数Ｎを取得すればよい。この操作キー部５５経由の取得態様に代えて、枚数カウント部７２ｂにおけるカウント値を原稿の枚数Ｎとして取得してもよい。
【００５４】
次いで、判定部７５は、ステップＳ１５で取得した原稿の枚数Ｎが閾値以上か否かに係る判定を行う（ステップＳ１６）。仮に原稿の枚数Ｎに係る閾値として”２０枚”が設定されている場合、操作キー部５５を介して原稿の枚数Ｎとして２０枚以上の枚数がユーザによって操作入力されるか、又は、枚数カウント部７２ｂにおけるカウント値が２０枚に達したとき、判定部７５は、原稿の枚数Ｎが閾値（この例では”２０枚”）以上と判定することになる。
【００５５】
ステップＳ１６における枚数判定の結果、原稿の枚数Ｎが閾値未満であると判定されたとき（ステップＳ１６の”Ｎｏ”）、判定部７５は、その旨をジョブ処理モード制御部７７に渡して、処理の流れをステップＳ１３へと進ませる。
【００５６】
一方、ステップＳ１６における枚数判定の結果、原稿の枚数Ｎが閾値以上と判定されたとき（ステップＳ１６の”Ｙｅｓ”）、判定部７５は、その旨をジョブ処理モード制御部７７に渡して、処理の流れをステップＳ１７へと進ませる。
【００５７】
次いで、ジョブ処理モード制御部７７は、ステップＳ１１で受け付けた複合機能ジョブの処理モードを逐次処理モードにする制御を実行する（ステップＳ１７）。
【００５８】
つまり、原稿の枚数Ｎが閾値以上である場合（ステップＳ１５の”Ｙｅｓ”）には、スキャナ部２１の原稿画像読み取り速度が所定の下限速度以下となることが想定されるために、かかる速度低下を未然に回避する目的でジョブ処理モードを逐次処理モードにする制御を実行する。
【００５９】
なお、”ジョブ処理モードを逐次処理モードにする制御を実行する”とは、その実行前の本機１のジョブ処理モードが並行処理モードであれば、逐次処理モードに切り替える制御を実行することを意味し、また、その実行前の本機１のジョブ処理モードが逐次処理モードであれば、そのまま逐次処理モードを維持する制御を実行することを意味する。
【００６０】
そして、ジョブ実行制御部７９は、ステップＳ１３又はステップＳ１７の処理で制御された処理モードをもって、ステップＳ１１で受け付けた複合機能ジョブの実行制御を行う。これにより、ジョブ処理モードを並行処理モードにする制御が実行されたときには並行処理モードによって、又は、ジョブ処理モードを逐次処理モードにする制御が実行されたときには逐次処理モードによって、主副の組み合わせに係る複合機能ジョブが実行されることになる。こうした複合機能ジョブの実行後に、主制御部１１は、一連の処理の流れを終了させる。
【００６１】
［実施例の作用効果］
以上述べたように、本発明実施例に係る画像形成装置１では、枚数取得部７２ａは、複合機能ジョブのうち原稿読み取り機能により読み取った原稿の枚数を取得する。判定部７５は、枚数取得部７２ａで取得した原稿の枚数が閾値以上か否かを判定する。そして、ジョブ処理モード制御部７７は、判定部７５によって原稿読み取り機能により読み取った原稿の枚数が閾値以上と判定されたとき、ジョブ処理モードを逐次処理モードにする制御を行う。
【００６２】
要するに、例えば、原稿読み取り速度が所定の下限速度以下となることが想定される原稿の枚数Ｎが閾値以上の複合機能ジョブでは、その処理モードを逐次処理モードにする制御を実行することとしたので、例えばＣＰＵの情報処理資源に比べて処理すべき負荷の方が大きい場合であっても、常に下限速度を下回らない速度をもって原稿画像の読み取りジョブを実行することができる。
【００６３】
従って、ユーザが原稿の読み取り指示操作を行ったあと全ての原稿を回収する迄に要する時間を可及的に短縮することが可能となる結果として、原稿の手離れ良く複合機能ジョブを実行可能な画像形成装置を得ることができる。
【００６４】
なお、原稿読み取り機能により読み取る枚数を操作入力する際に用いられる操作パネル部（操作入力部）５１を備え、操作パネル部５１を介して読み取った原稿の枚数Ｎを取得する枚数取得部７２ａの構成を採用した場合、予め原稿の枚数がわかっているときに用いて好ましい原稿枚数Ｎの取得態様を具現化することができる。
【００６５】
また、原稿読み取り機能により読み取る枚数をカウントする枚数カウント部７２ｂを備え、枚数カウント部７２ｂを介して読み取った原稿の枚数Ｎを取得する枚数取得部７２ａの構成を採用した場合、原稿の枚数がわからないときに用いて好ましい原稿枚数Ｎの取得態様を具現化することができる。
【００６６】
さらに、副機能が送信系（ＰＵＳＨ型）の機能であり、かつ判定部７５によって原稿読み取り機能により読み取った原稿の枚数Ｎが閾値以上と判定されたとき、ジョブ処理モードを逐次処理モードにする制御を行うジョブ処理モード制御部の構成を採用した場合、本機１の前で待っているユーザに対し、一刻も早く全ての原稿の回収をさせ得る。従って、原稿の手離れ良く複合機能ジョブを実行可能な画像形成装置を得ることができる。
【００６７】
［その他］
本発明は、上述した実施例に限られるものではなく、請求の範囲及び明細書全体から読み取れる発明の要旨、あるいは技術思想に反しない範囲で適宜変更可能であり、そのような変更を伴う画像形成装置もまた、本発明における技術的範囲の射程に包含されるものである。
【符号の説明】
【００６８】
１    デジタルカラー複合機（画像形成装置）
３    クライアントＰＣ
９ａ  ＦＴＰサーバ
９ｂ  ＳＭＴＰサーバ
１１  主制御部
２１  スキャナ部（主機能）
４１  エンジン部（副機能）
５１  操作パネル部（操作入力部）
６１  ファクシミリ通信部（副機能）
７１  ジョブ受付部
７２ａ  枚数取得部
７２ｂ  枚数カウント部
７３  閾値記憶部
７５  判定部
７７  ジョブ処理モード制御部
７９  ジョブ実行制御部
【図１】
2011071856.tif 000003
【図２】
2011071856.tif 000004
【図３】
2011071856.tif 000005
【図４】
2011071856.tif 000006